(57)【要約】      （修正有）【課題】ズボン本体が作業者の胴部分や腰部分からずり下がるのを確実に防止可能にする水作業用ズボンを提供する。【解決手段】胸当て部３内面の左右対称部位に左側バックル９および右側バックル１０を取り付け、胴回り部５に一端が固定された左側ベルト４ａおよび右側ベルト４ｂの各ベルト側バックル２１、２２を前記右側バックル１０および左側バックル９に嵌合することにより、作業者の胴部分または腰部分にズボン本体２の胴当て部３を保持させる。【選択図】図２
0003156044.tif 000002
【実用新案登録請求の範囲】
【請求項１】
水作業時に着用する水作業用ズボンであって、
ズボン本体の胴回り部に、この胴回り部から分岐して立ち上がるように一体に連設された胸当て部と、
この胸当て部内面の左右対称部位に取り付けられた左側バックルおよび右側バックルと、
前記胸当て部内面の左右対称位置であって、前記胴回り部に近い各部位に取り付けられた左側前部ベルトガイドおよび右側前部ベルトガイドと、
前記胴回り部の後部外面の左右対称部位に取り付けられた左側後部ベルトガイドおよび右側後部ベルトガイドと、
前記左側前部ベルトガイドおよび右側前部ベルトガイド付近に臨むように前記胴回り部外面の左右各部に一端が固定され、かつ前記左側前部ベルトガイドおよび右側前部ベルトガイドと左側後部ベルトガイドおよび右側後部ベルトガイドとにガイドされて、各他端にベルト側バックルが取り付けられた左側ベルトおよび右側ベルトと、
を備え、
左側ベルトのベルト側バックルが前記右側バックルに着脱可能に嵌合され、右側ベルトのベルト側バックルが前記左側バックルに着脱可能に嵌合されてなることを特徴とする水作業用ズボン。
【請求項２】
前記ベルト側バックルは左側ベルトまたは右側ベルトにおける装着位置が調整自在であることを特徴とする請求項１に記載の水作業用ズボン。
【請求項３】
前記胴回り部は、胴回りに伸縮する伸縮部を持つことを特徴とする請求項１に記載の水作業用ズボン。
【請求項４】
水作業時に着用する水作業用ズボンであって、
ズボン本体の胴周り部の前部および後部に、その胴回り部から分岐して立ち上がるように一体に連設された胸当て部および背当て部と、
前記胸当て部内面の左右対象部位に取り付けられた左側バックルおよび右側バックルと、
前記胸当て部の両端部における左右対称部位であって、前記胴回り部に対向する部位に取り付けられた左側前部ベルトガイドおよび右側前部ベルトガイドと、
前記左側前部ベルトガイドおよび右側前部ベルトガイドに対向する部位付近の前記胴回り部外面の左右対称部位に取り付けられた左側前部ベルトガイドリングおよび右側前部ベルトガイドリングと、
前記左側前部ベルトガイドリングおよび右側前部ベルトガイドリングより下方のズボン本体後部の左右対称部位に取り付けられた左側後部バックルおよび右側後部バックルと、
前記左側前部ベルトガイドリングおよび右側前部ベルトガイドリングより下方のズボン本体後部の左右対称部位に取り付けられた左側後部ベルトガイドリングおよび右側後部ベルトガイドリングと、
前記左側前部ベルトガイドリング、左側前部ベルトガイド、左側後部ベルトガイドリング、右側後部ベルトガイドリング、右側前部ベルトガイドおよび右側前部ベルトガイドリングに同時に通された第１ベルトと、
該第１ベルトの両端に取付位置調整自在に取り付けられた第１ベルト用左側バックルおよび第１ベルト用右側バックルと、
前記左側後部ベルトガイドリングおよび右側後部ベルトガイドリングに同時に通された第２ベルトと、
該第２ベルトの両端に取付位置調整自在に取り付けられた第２ベルト用左側バックルおよび第２ベル用右側バックルと、
を備え、
前記第１ベルト用左側バックルを前記左側後部バックルに嵌合し、第１ベルト用右側バックルを前記右側後部バックルに嵌合するとともに、
前記第２ベルト用左側バックルを前記左側バックルに嵌合し、第２ベルト用右側バックルを前記右側後部バックルに嵌合することにより、
前記ズボン本体の胴回り部を第１のベルトおよび第２のベルトにより作業者の腰部分に保持させるようにしたことを特徴とする水作業用ズボン。
【請求項５】
前記第１ベルト用左側バックルおよび第１ベルト用右側バックルは第１ベルトにおける装着位置が調整自在であり、第２ベルト用左側バックルおよび第２ベルト用右側バックルは第２ベルトにおける装着位置が調整自在であることを特徴とする請求項４に記載の水作業用ズボン。
【考案の詳細な説明】
【技術分野】
【０００１】
この考案は、漁師や水産関係業者及び農業、土木工事など、水に濡れる作業に従事する者が着用する水作業用作業衣に関する。
【背景技術】
【０００２】
漁師や水産関係業者などの水に濡れる作業に従事する者が着用する作業衣としてオーバズボンがある。このオーバズボンは、従来、図８に示すようなズボン６１と、胸当て部及び背当て部６２と、１対の肩かけベルト６３とで構成されている形態が一般的であり、ズボン６１には膝当て部６４が設けられているものも多い。
【０００３】
従来のこのようなオーバズボンの肩掛けベルト６３の両端は、胸当て部６２と背当て部６２との間に、２本が互いに途中で交差するように止着されている。なお、ズボン６１の裾６５は、着脱を容易とするために、かつ長靴の上にも入るように「ずんどう」であり、裾口も大きく開口している（例えば、特許文献１および２参照）。また、ズボンの下端に長靴を一体に接合したものもある（例えば、特許文献３参照）。
【先行技術文献】
【特許文献】
【０００４】
【特許文献１】特許第２９０８３０６号公報
【特許文献２】実開昭６１−１２０７１２号公報
【特許文献３】実開昭６２−１５７９０９号公報
【考案の概要】
【考案が解決しようとする課題】
【０００５】
上述した従来のオーバズボンは、解決すべき以下の問題を有している。
即ち、水産、農業、土木等の分野で用いられる前記オーバズボンは、作業者が常時水に晒される作業環境において衣服や身体が水で濡れないように、その素材がゴムや合成樹脂のシート材によって所定の肉厚に形成されている。このため、オーバズボン全体の重量が大きく、このオーバズボンを身体に着けて肩掛けベルトによって肩から吊り下げた場合に、肩への重量負担が大きくなる。このため、腰や肩の疲労や痛みを招くという不都合がある。
【０００６】
これに対して、前記肩掛けベルトに代えてズボン本体の胴回り部に腰紐を装着して、腰の回りにこの腰紐を結び付ける等の簡易な方法にてオーバズボンを人の身体に装着する方法が広く実用されている。この場合には、肩への重量負担がなくなるため、腰や肩を痛める心配はない。しかし、この場合には、水作業中の種々の動作によって、また、水作業中に前記腰紐の結び目が緩むことによって、オーバズボンが次第に下がり、着装感が悪くなるほか、作業がしづらくなるなどの不都合があった。
【０００７】
本考案は、このような従来の不都合を解消するためになされたものであり、その目的は、ズボン本体の胴回り部分をバックル結合可能な締付けベルトを用いて緊縛可能にすることで、ズボン本体が作業者の腰部分からずり下がるのを確実に防止することができる水作業用作業着を提供することにある。
【課題を解決するための手段】
【０００８】
前述した目的を達成するために、本考案に係る水作業用作業着は、水作業時に着用する水作業用ズボンであって、ズボン本体の胴回り部に、この胴回り部から分岐して立ち上がるように一体に連設された胸当て部と、この胸当て部内面の左右対称部位に取り付けられた左側バックルおよび右側バックルと、前記胸当て部内面の左右対称位置であって、前記胴回り部に近い各部位に取り付けられた左側前部ベルトガイドおよび右側前部ベルトガイドと、前記胴回り部の後部外面の左右対称部位に取り付けられた左側後部ベルトガイドおよび右側後部ベルトガイドと、前記左側前部ベルトガイドおよび右側前部ベルトガイド付近に臨むように前記胴回り部外面の左右各部に一端が固定され、かつ前記左側前部ベルトガイドおよび右側前部ベルトガイドと左側後部ベルトガイドおよび右側後部ベルトガイドとにガイドされて、各他端にベルト側バックルが取り付けられた左側ベルトおよび右側ベルトと、を備え、左側ベルトのベルト側バックルが前記右側バックルに着脱可能に嵌合され、右側ベルトのベルト側バックルが前記左側バックルに着脱可能に嵌合されてなることを特徴とする。
【０００９】
この構成により、作業者はズボン本体に足、脚、腰部を通し、左側ベルトのベルト側バックルおよび右側ベルトのベルト側バックルをそれぞれ前記右側バックルおよび左側バックルに嵌合するだけで、作業者の背面で交差する２本の前記各締付けベルトにより、ズボン本体の前記胴回り部付近を締め付けるようにして、作業者の胴部分や腰部分を緊縛することができる。このため、肩への重量負担がなくなる。また、締付けベルトによる締付け状態は、前記の各バックルの嵌合によって、緩みなく維持されるので、作業者の激しい動きにも拘らず、ズボン本体が胴部分や腰部分からずり下がるのを確実に回避することができる。
【００１０】
この場合において、前記ベルト側バックルは左側ベルトまたは右側ベルトにおける装着位置がそれぞれ調整自在であるため、前記各ベルトによる作業者の胴部分や腰部分に対する締付け強さを、作業者の体格や体調等に合わせて適度に調節することができる。
【００１１】
また、前記胴回り部に、胴回りに伸縮する伸縮部を持つ構成としたことで、作業者の胴部分や腰部分に対して常に安定した所定レベル以上の締付け力を作用させることができ、仮に締付けベルトが何らかの理由で緩むことがあっても、ズボン本体が不用意に腰部分や胴部分からずり下がることを回避することができる。
【考案の効果】
【００１２】
本考案によれば、水作業用作業着のズボン本体を肩紐などにより肩から吊り下げるというような使用をしないため、肩へのズボン本体の重量負担およびこれに伴う疲れや肩痛発生などの不都合を未然に回避しながら、水作業中にズボン本体が作業者の胴部分や腰部分からずり下がるのを確実に防止することができる。
【図面の簡単な説明】
【００１３】
【図１】本考案の一実施形態によるオーバズボンを示す斜視図である。
【図２】図１に示すオーバズボンの要部を示す斜視図である。
【図３】図２に示す締付けベルトのさらに要部の斜視図である。
【図４】図１に示すオーバズボンの使用例を示す背面斜視図である。
【図５】本考案の他の実施形態によるオーバズボンを示す要部の斜視図である
【図６】図５に示す締付けベルトを外した状態のオーバズボンの背面図である。
【図７】図５に示すオーバズボンに用いられる締付けベルトの斜視図である。
【図８】従来のオーバズボンの使用例を示す斜視図である。
【考案を実施するための最良の形態】
【００１４】
以下、本考案の一実施形態による水作業用作業着を、図面を参照しながら説明する。図１は、水作業用作業着としてのオーバズボンの斜視図、図２は、図１に示すオーバズボン要部の斜視図、図３は、その締付けベルトのさらに要部の斜視図、図４は、図１に示すオーバズボンの使用例を示す背面斜視図、図５は、オーバズボンの他の実施形態を示す要部の斜視図、図６は、前記オーバズボンのみの背面図、図７は、図５に示した締付けベルトの斜視図である。
【００１５】
オーバズボン１は、ズボン本体２と、胸当て部３と、締付けベルト４と、を備える。ズボン本体２は作業者が足、脚、腰部分を通して下半身を被う部分である。胸当て部３は、このズボン本体２の胴回り部５の途中から、図３に示すように分岐して上方へ立ち上がるように連設されている。図３では、この部位の形態を理解し易いように、胴回り部５を胸当て部３に対し略垂直となるように内側に折り返した状態で示してある。
【００１６】
この胴回り５の上端部は縫製または溶着によって袋帯状に形成され、この袋帯の複数箇所にはゴム紐などの伸縮部材が逢着されて、伸縮部６とされている。この伸縮部６によって胴回り５の前記複数箇所において、オーバズボン１の装着感または緊縛感が得られ、またオーバズボンが作業者の胴部分や腰部分から簡単にずり下がらないようになっている。図２では、２箇所に伸縮部６が縫い込まれている。
【００１７】
また、胸当て部３は全体として台形状をなし、上部の左右対称の位置に吊り紐７を通すための止着環８が取り付けられている。これらの止着環８のそれぞれに、一本の吊り紐７の両端を結び付け、作業者がこの吊り紐７を首に掛けることによって、ズボン本体２の重量を支えるようにしてもよい。
【００１８】
また、胴回り部５付近における胸当て部３の両端部内面には、これらの縫合されたループ部材１１、１２に左側バックル９および右側バックル１０が支持されている。さらに、この胴回り部５付近における胸当て部３の両端部内面であって、前記胴回り部５との分岐部に近い部位には、図３に示すような左側前部ベルトガイド１３および右側前部ベルトガイド１４がそれぞれ縫合や溶着により対象配置されている。
【００１９】
一方、胴回り部５の外面であって、左側前部ベルトガイド１３および右側前部ベルトガイド１４に略対向する位置であって、胴回り部５に縫合または溶着されたループ部材１６に胴部ベルトガイド１５が支持されている。また、ズボン本体２の後部外面であって胴回り５の下部付近には、これに縫合または溶着されたループ部材１９、２０に左側後部ベルトガイド１７および右側後部ベルトガイド１８の各一端が支持されている。
【００２０】
前記締付けベルト４は左側ベルト４ａと右側ベルト４ｂを含む。左側ベルト４ａは、一端が胴部ベルトガイド１５付近の胴回り部５外面に縫合や溶着により固定されている。この左側ベルト４ａは、前記胴部ベルトガイド１５、左側前部ベルトガイド１３および左側後部ベルトガイド１７に次々に通されるようにガイドされ、他端部にベルト側バックル２１が取り付けられている。このベルト側バックル２１は左側ベルト４ａ上の位置調整が可能な周知形態をなす。
【００２１】
また、右側ベルト４ｂは、一端が右側前部ベルトガイド１４付近に臨む胴回り部５の外面に縫合や溶着により固定されている。この右側ベルト４ｂは、右側の胴部ベルトガイド１５、右側前部ベルトガイド１４および右側後部ベルトガイド１８に次々に挿通されるようにガイドされて、他端部にベルト側バックル２２が取り付けられている。このベルト側バックル２２は右側ベルト４ｂ上の位置調整が可能な周知形態をなす。
【００２２】
かかる構成になるオーバズボン１では、これを作業者が下半身に装着すると、胴回り部５の伸縮部６の伸縮作用によって、作業者の身体の胴部分や腰部分を所定強さの緊縛力で締め付ける。そして、かかる締付け状態において、図１に示すように前記締付けベルト４ａ端のベルト側バックル２１を、胸当て部３上の右側バックル１０に嵌合させる。続いて、締付けベルト４ｂ端のベルト側バックル２２を胸当て部３上の左側バックル９に嵌合させる。
【００２３】
これらの伸縮部６による締め付けと、バックル結合による締付けベルト４の緊縛作用によって、２本の左側ベルト４ａ、右側ベルト４ｂは図４に示すようにズボン本体の後部（背面側）で互いに交差しながら作業者の胴部分または腰部分を締め付ける。また、この締め付け力は、前記バックル結合によって簡単に緩むことはない。従って、ズボン本体１は作業者の胴部分や腰部分に、前記伸縮部６の収縮作用と相俟って、確実に保持され、作業者の運動量が大きい場合でも、下方へずり下がることはない。
【００２４】
なお、ベルト側バックル２１、２２は各ベルト４ａ、４ｂに対する位置調整が任意かつ容易に行うことができ、この位置調整を適正化することで、前記ズボン本体１の作業者の胴部分や腰部分に対する保持を確実なものとすることができる。なお、図１に示すように、吊り紐７を首に掛けることによって行うズボン本体２の支承は、この首部周辺に対する重量負担が大きくなる場合があるため、これを用いなくてもよい。
【００２５】
図５〜図７は、本考案の他の実施形態によるオーバズボン１Ａを示す。この実施形態のオーバズボン１Ａは、水作業時に着用する水作業用ズボンである。ズボン本体２の胴周り部５の前部および後部には、その胴回り部５から分岐して立ち上がる、胸当て部３および背当て部３１が一体に設けられている。この胸当て部３および背当て部３１はサイズが異なり、略台形をなしている。
【００２６】
胸当て部３内面の左右対象部位には、左側バックル３２および右側バックル３３がその胸当て部３内に縫合または溶着されたループ部材３４、３５に通されることで支持されている。また、この胸当て部３の両端部における左右対称部位であって、前記胴回り部５部位には、左側前部ベルトガイド３６および右側前部ベルトガイド３７が取り付けられている。
【００２７】
左側前部ベルトガイド３６および右側前部ベルトガイド３７に対向する部位付近の前記胴回り部５外面には、左側前部ベルトガイドリング３８および右側前部ベルトガイドリング３９が、胴回り部５に縫合または溶着により取り付けられたループ部材４０、４１（図７参照）を介して左右対称位置に取り付けられている。左側前部ベルトガイドリング３８および右側前部ベルトガイドリング３９より下方のズボン本体２後部の左右対称部位には左側後部バックル４２および右側後部バックル４３が、ズボン本体２に縫合または溶着されたループ部材４４、４５をそれぞれ介して取り付けられている。
【００２８】
前記左側前部ベルトガイドリング３８および右側前部ベルトガイドリング３９より下方のズボン本体後部の左右対称部位には左側後部ベルトガイドリング４６および右側後部ベルトガイドリング４７が、ズボン本体２に縫合または溶着によって取り付けられたループ部材４８、４９に通されるように取り付けられている。そして、前記左側前部ベルトガイドリング３８、左側前部ベルトガイド３６、左側後部ベルトガイドリング４６、右側後部ベルトガイドリング４７、右側前部ベルトガイド３７および右側前部ベルトガイドリング３９に、第１ベルト５０が通されている。
【００２９】
また、第１ベルト５０の両端部には第１ベルト用左側バックル５１および第１ベルト用右側バックル５２が取付位置調整自在に取り付けられている。前記左側後部ベルトガイドリング４６および右側ベルトガイドリング４７には第２ベルト５３が通されている。そして、第２ベルト５３の両端部には第２ベルト用左側バックル５４および第２ベルト用右側バックル５５が取付位置調整自在に取り付けられている。
【００３０】
そこで、このようなオーバズボン１Ａでは、第１ベルト用左側バックル５１を前記左側後部バックル４２に嵌合し、第１ベルト用右側バックル５２を前記右側後部バックル４３に嵌合するとともに、前記第２ベルト用左側バックル５４を前記左側バックル３２に嵌合し、第２ベルト用右側バックル５５を前記右側バックル３３に嵌合する。これによって、前記ズボン本体２の胴部当て３は第１のベルト５０および第２のベルト５３により作業者の胴部分または腰部分を締め付けるように作用する。そしてこの締付け力はバックル結合によって第１ベルト５０および第２ベルト５３の緊張状態を安定的に維持する。このため、ズボン本体２が胴部分５や腰部分からずり落ちることはない。
【００３１】
なお、胸当て部３の左右対称位置には止着環５７が取り付けられ、背当て部３１にも対称位置に止着環５８が取り付けられている。従って、吊り紐５９を、図５に示すように、互いに途中で交差させるようにして、これらの両端を各止着環５７、５８に止着することで、この吊り紐５９を首に掛けることによって、ズボン本体２の重量をその首で支えるような使用も可能になる。
【００３２】
そして、この実施形態においても、ズボン本体２の胴回り部５を緊縛して、作業者の胴部分や腰部分にそのズボン本体２を保持させることができる。従って、作業者の激しい運動にも拘らずズボン本体２が胴部分や腰部分でずり下がることを効果的に防止できる。
【００３３】
また、前記ベルト用バックル５１、５２、５４、５５の各ベルト５０、５３における装着位置が調整自在であるため、前記各ベルト５０、５３による作業者の胴部分や腰部分に対する締付け強さを、作業者の体格や体調に合わせて任意に調節することができる。更に、
前記胴回り部５は胴の回りに伸縮部６を持つ構成とすることで、作業者の胴部分や腰部分に対して常に安定した所定レベル以上の締付け力を作用させることができ、仮に前記ベルト５０、５３が何らかの理由で緩むことがあっても、ズボン本体５が不用意に作業者の腰部分や胴部分からずり下がることを回避することができる。
【符号の説明】
【００３４】
１、１Ａ  オーバズボン
２  ズボン本体
３  胸当て部
４  締付けベルト
４ａ  左側ベルト
４ｂ  右側ベルト
５  胴回り部
６  伸縮部
７  吊紐
８  止着環
９  左側バックル
１０  右側バックル
１１、１２  ループ部材
１３  左側前部ベルトガイド
１４  右側前部ベルトガイド
１５  胴部ベルトガイド
１６  ループ部材
１７  左側後部ベルトガイド
１８  右側後部ベルトガイド
１９、２０  ループ部材
２１、２２  ベルト側バックル
３１  背当て部
３２  左側バックル
３３  右側バックル
３４、３５  ループ部材
３６  左側前部ベルトガイド
３７  右側前部ベルトガイド
３８  左側前部ベルトガイドリング
３９  右側前部ベルトガイドリング
４０、４１  ループ部材
４２  左側後部バックル
４３  右側後部バックル
４４、４５  ループ部材
４６  左側後部ベルトガイドリング
４７  右側後部ベルトガイドリング
４８、４９  ループ部材
５０  第１ベルト
５１  第１ベルト用左側バックル
５２  だ１ベルト用右側バックル
５３  第２ベッド
５４  第２ベルト用左側バックル
５５  第２ベルト用左側バックル
【図１】
0003156044.tif 000003
【図２】
0003156044.tif 000004
【図３】
0003156044.tif 000005
【図４】
0003156044.tif 000006
【図５】
0003156044.tif 000007
【図６】
0003156044.tif 000008
【図７】
0003156044.tif 000009
【図８】
0003156044.tif 000010